(57)【要約】【課題】小学校の頃より、細い文字で文章等を書く事に慣れ親しんで来た筆者の眼視力は、いつの間にか、１．５°から０．３°以下に劣えており、近視（乱視）になっており、眼鏡が必要となっていた。何とかならないものか？と考え続けた。課題が生じた。【解決手段】その際、学校の先生の説明によると、「遠い所を見続けていると、（乱視を含む）近視は、自然治癒する。」と言うので、教室の黒板の傍にカレンダーを貼ってもらい、そこに書かれている細い数字や、文字を毎日見続けていると、筆者を含む、複数者の視力は、毎日の様に、視力が、０．３°から０．８°以上に回複し続けいるものになっていたので、之のカレンダーを「眼視力矯正用カレンダーと命名し、名付けて、課題は解決した。【選択図】図１
2020189479.tif 000002
【特許請求の範囲】
【請求項１】
学校（若しくは、職場）等の黒板傍に貼られている様な、本願発明される、「眼視力矯正用カレンダーＩ」に描かれている、之のカレンダーの数字の部分は、凡そ、縦７ｃｍ、横は７ｃｍ位にする他、縦３．５ｃｍ、横は、４．３ｃｍ位にし、文字の部分等は、縦１．５ｃｍにし、横は約３．５ｃｍ位にして造り、このカレンダーの余白部分には、裸眼で、
・視力が、０．１°から、０．２°の人は、約１Ｍ位から、４Ｍ位離れた机、椅子に座って、このカレンダーを見続けて下さい。近視が自然治癒します。
・視力が０．２°から０．３°の人は、約２Ｍ位から、５Ｍ位離れた机、椅子に座って、このカレンダーを見続けて下さい。近視が自然治癒します。
・視力が０．３°から０．４°の人は約３Ｍ位から、６Ｍ位離れた机、椅子に座って、このカレンダーを見続けて下さい。近視が自然治癒します。
・視力が０．４°から０．５°の人は、約４Ｍ位から、７Ｍ位離れた机、椅子に座って、このカレンダを見続けて下さい。近視が自然治癒します。
・視力が０．５°から０．６°の人は、約５Ｍから、８Ｍ位離れた机、椅子に座って、このカレンダーを見続けて下さい。近視が自然治癒します。
・視力が０．６°から０．７°の人は、約６Ｍから、９Ｍ位離れた机、椅子に座って、このカレンダーを見続けて下さい。近視が自然治癒します。
・視力が０．７°から０．８°の人は、約７Ｍから１０Ｍ位離れた机、椅子に座って、このカレンダーを見続けて下さい。近視が自然治癒します。
・視力が０．８°から０．９°の人は、約８Ｍから１１Ｍ位離れた机、椅子に座って、このカレンダーを見続けて下さい。近視が自然治癒します。事をして、視力が０．８°〜１．０°位に迄自然回復してゆきます。とする説明書付カレンダー。
【請求項２】
視力の弱い人が裸眼で、本願発明される、「眼視力矯正用カレンダーＩＩに描かれているカレンダーの数字や文字等がかすれたり、ぼやけたりして、なかなかに、それ等が見えない人々があっても、この発明される、「カレンダーＩＩ」では、数字の縦は、１．３ｃｍ横１．３ｃｍにする他、数字の縦は、約７ｍｍにし、横幅は、約１ｃｍ位にして造り、文字等では、縦を４ｍｍ、横を約７ｍｍ位にして、造り、各家庭（他、職場）での、向いあう（明るい）２Ｍ〜４Ｍ離れた壁や、ベッドの頭部位置から、約２〜４Ｍ程、離れた足元の向い合う壁に、本発明される「之のカレンダＩＩ」を貼り付け、日々、毎日、暇のある時、それを見つめ続けていると、次第に、そこに書かれてある数字や文字がハッキリと見えて来る時には、視力が０．８°〜１．０°位に迄、自然回復してゆく事を説明する説明書付カレンダー。
【発明の詳細な説明】
【技術分野】
【０００１】  「仮性近視」は治り易いが、「本性近視」は、治らない。と、言う説話はウソである事は、本願発明される、カレンダーの数字や、文字を１Ｍ以上、１１Ｍ未満位の範囲内に於いて、之れらのものを、裸眼で、日々、毎日、見続づけていると、０．８°〜１．０°位に迄にも、（乱視を含む）近視は、自然治癒するものになる技術力が生じた。
【背景技術】
【０００２】  特に有りません。
【先行技術文献】
【０００３】  特に有りません。
【発明の概要】
【発明が解決しようとする課題】
【０００４】  筆者は、少年期より、よく勉強するコドモであり、細い字を好んでは、よく書いていた。そのせいでか、毎夕方のゴハン時になると、０．８°以上ある筆者の目の視力は、０．３°から０．１°以下になっており、「これではいけない。」と考え、眼鏡を必要としながらも、何とか、視力を治す方法は、ないものであろうか？と考え続けていた。課題が生じた。
【課題を解決する為の手段】
【０００５】  （毎）朝、起きて、朝食時には、２Ｍから４Ｍ程、離れた、食堂の座席に座る、対向面の壁には、裸眼で、縦７ｍｍ、横１ｃｍの数字でで書かれてある本願発明される、カレンダーの数字や細かく書かれた文字等を見続けていると、夜迄には、０．３°から、０．１°以下になっている筈の筆者の視力は、毎朝迄には、０．８°から１．０°位迄の視力を取り戻しているものになっていた。
【発明の効果】
【０００６】  特に、昼間時に於ける、学校（や職場）での正面に見られる、黒板の傍に貼られる様なカレンダーの数字や文字等は、縦３．３ｃｍ位にし、横は、約４．５ｃｍ位にして造られるものを、近視眼鏡を必要としている（生徒を含む）人々等とが、昼食時や、休憩時間を利用し、凡そ、３Ｍから１１Ｍ位に離れた場所から、裸眼で見続けた場合、劣っていた、これ等の人々の視力は、０．８°から１．０°位迄にメキメキと回腹し始める事が分る際には、之の眼視力矯正カレンダーは、眼鏡院泣かせのカレンダーとなる効果があった。
【図面の簡単な説明】
【０００７】
【図１】  本願発明、「眼視力矯正用カレンダーＩ」等では、眼視力の劣えで、そこに書かれているカレンダーの数字や文字がかすれたり、ぼやけたりして、なかなかに見えない人々があっても、之の「カレンダーＩ」の数字の部分は、凡そ縦、横等を７ｃｍ位にする他、縦３．５ｃｍ、横４．３ｃｍ位にし、文字等は、縦１．５ｃｍにし、横は、３．５ｃｍ位にして造り、視力の弱い人々の順に、３Ｍから１１Ｍ位に離れた所から、日々見える様に、配置し、座席する人々がいて、之の様に之のカレンダーを裸眼で毎日、之れ等を之の様に見続けていると、次第にそこに書かれてある数字や文字等がハッキリと見える様になって来る時には、いかに視力が劣えている人々であっても、０．８°から１．０°以上に迄視力は回復しているものになっている事を図示する、之の「カレンダーＩ」の使用説明書付きカレンダー。
【図２】  本願発明、「眼視力矯正用カレンダーＩＩ」等では、眼視力の劣えで、そこに書かれているカレンダーの数字や文字がかすれたり、ぼやけたりして、なかなかに裸眼でそれが見えない人々があっても、之の「眼視力矯正用カレンダーＩＩ」の数字の部分は凡そ、縦１．３ｃｍ位にし、横は１．３ｃｍ位にする他、縦７ｍｍ、横１ｃｍ位にして造り、文字等では、縦を４ｍｍ、横を約７ｍｍ位にして造り、（各家庭の、）食堂の向いあう壁や、横になるベッドの頭部位置から、２Ｍから４Ｍ位に離れた足元の向いあう壁に、本発明される之の「カレンダーＩＩを貼り付け、日々、毎日、それ等を見続けていると、次第に、そこに書かれてある、数字や文字がハッキリと見える様になって来る時には、０．８°から、１．０°位に迄、視力が回復するものになっている事を図示する、本発明「カレンダーＩＩの使用説明書付カレンダー。
【発明を実施する為の形態】
【０００８】  学校や職場等の黒板の傍に貼られている様な、本願発明される、「眼視力矯正用カレンダーＩ」等では、
視力が、０．１°から０．２°の人は、約１Ｍ位から４Ｍ位離れた机、椅子に座って、之のカレンダーを裸眼で見る事が出来、
視力が、０．２°から０．３°の人は、約２Ｍ位から５Ｍ位離れた机、椅子に座って、之のカレンダーを裸眼で見る事が出来、
視力が、０．３°から０．４°の人は、約３Ｍ位から６Ｍ位離れた机、椅子に座って、之のカレンダーを裸眼で見る事が出来、
視力が、０．４°から０．５°の人は、約４Ｍ位から７Ｍ位離れた机、椅子に座って、之のカレンダーを裸眼で見る事が出来、
視力が、０．５°から０．６°の人は、約５Ｍ位から８Ｍ位離れた机、椅子に座って、之のカレンダーを裸眼で見る事が出来、
視力が、０．６°から０．７°の人は、約６Ｍ位から９Ｍ位離れた机、椅子に座って、之のカレンダーを裸眼で見る事が出来、
視力が、０．７°から０．８°の人は、約７Ｍ位から１０Ｍ位離れた机、椅子に座って、之のカレンダーを裸眼で見る事が出来、
視力が、０．８°から０．９°の人は、約８Ｍ位から１１Ｍ位離れた机、椅子に座って、之のカレンダーを裸眼で見る事が出来る時、
着席し、昼食時間や、休憩時間に之の様にして造られるカレンダーの文字や数字等をたし算や、引き算しながら、只、之れをながめ見ているだけで、通常に見られる、（乱視を含む）近視等は、０．８°以上から、１．０°位に迄自然治癒するものとなる他に、
視力の弱い人が裸眼で、本願発明される、「眼視力矯正用カレンダーＩＩ」に描かれているカレンダーの数字や文字等がかすれたり、ぼやけたりして、なかなかに、それ等が見えない人々があっても、この発明される「眼視力矯正用カレンダーＩＩ」では、数字の縦は、約１．３ｃｍ、横１．３ｃｍにする他、数字の縦は、約７ｍｍにし、横幅は、約１ｃｍ位にして造り、文字等では、縦を約７ｍｍ横を約１ｃｍ位にして、造り、各家庭（他、職場）での向いあう（明るい）２〜４Ｍ位離れた壁や、ベッドの頭部位置から、約２〜４Ｍ程、離れた足元に向いあう壁に、本発明されるこのカレンダーＩＩを貼り付け、日々、毎日、暇のある時、それを見つめ続けていると、次第に、そこに書かれてある数字や文字等がハッキリと見えて来る時には、視力が０．８°〜１．０°位に迄、近視が自然治癒してゆくカレンダーになった。
【実施例】
【０００９】  日本の自動車運転免証証の交付に当っては、裸眼で、０．８°以上の眼視力が必要とされる中、筆者自身を含む他、他の不特定多数の、被試験者に為し、本願発明される、「眼視力矯正用カレンダーＩ、ＩＩ」等を、本文中の説明にある様に使用し続けた際には、毎夜迄には、０．３°位に迄に下がる（筆者の、）眼視力等は、翌朝の朝ゴハン前には、０．８°から、１．０位迄には、回復し続けている為、筆者の、ゴールド免証証の書き替え時には、眼鏡を着用した顔写真のものは、まだ一枚も無いものになっていた。但し、この発明カレンダーを使用し続けた場合、乱視を含む遠視迄も緩和するものにもなっていった。
【産業上の利用の可能性】
【００１０】  本願発明案件、本文内容によっても分る様に、よほどガンコな、近視眼症を煩っている人々でさえも、本願、発明される、「眼視力矯正用カレンダーＩ、ＩＩ」を各家庭や（学校を含む、）職場などで、暇を見ては、之れを使用していると、日本全国から運転免許を持つ人々の顔写真から眼鏡をかけている人々が消えてゆく程迄に、近視眼症は、自然治癒してゆく事を、主に眼鏡を製造する会社等が理解した場合、「之のカレンダーＩ、ＩＩ」の製造を着手する人々が増える事が考えられる際には、産業上の利用性は極めて大きなものになる。と、考えられた。
【附号の説明】
【００１１】１．本願発明、「眼視力矯正用カレンダーＩ」等では、眼視力の劣えで、そこに書かれているカレンダーの数字や文字がかすれたり、ぼやけたりして、なかなかに見えない人々があっても、之の「カレンダＩ」の数字の部分は、縦、横等を、凡そ７ｃｍ位にする他、２．縦３．５ｃｍ、３．横４．３ｃｍ位にし、４．文字等は、縦１．５ｃｍにし、５．横は、３．５ｃｍになる位にして造り、視力の弱い人々の順に、３Ｍから１１Ｍ位に離れた所から、日々見える様に、配置し、座席する人々がいて、之の様に、之のカレンダーＩを裸眼で毎日、之の様に見続けていると、次第にそこに書かれてある数字や文字等がハッキリと見える様になって来る時には、いかに視力が劣えている人々であっても、０．８°から１．０以上に迄、視力は回復するものになっている事を図示する、之のカレンダーＩの使用説明書付きカレンダーが図示される他、６．本願発明、「眼視力矯正用カレンダーＩＩ」等では、眼視力の劣えで、そこに書かれているカレンダーの数字や文字がかすれたり、ぼやけたりして、なかなかにそれ等が見えない人々があっても、之の「眼視力矯正用カレンダーＩＩ」の数字の部分は、凡そ、縦横１．３ｃｍ位にする他、７．縦７ｍｍ、８．横１ｃｍ位にして造り、９．文字等では縦を４ｍｍ  １０．横を約７ｍｍ位にして造り、各家庭（他、職場での向いあう（明るい）２〜４Ｍ位に迄離れた壁やベッドの頭部位置から、約２〜４Ｍ程、離れた足元の向いあう壁に、本発明される、「之のカレンダーＩＩを貼り付け、日々、毎日、暇のある時、之れ等発明されるカレンダーＩ、ＩＩを見続けていると、次第にそこに書かれてある数字や、文字等がハッキリと見えて来る時には、近視の人々の視力が０．８°〜１．０°位に迄、自然回復してゆく事を説明する説明書付カレンダーを図示。１１．之のカレンダーの使用説明書。
１２．視力が、０．１°から、０．２°の人は、約１Ｍから、４Ｍ位離れた机、椅子に座って、このカレンダーを裸眼で見続けて下さい。近視が自然治癒します。
１３．視力が、０．２°から、０．３°の人は、約２Ｍから、５Ｍ位離れた机、椅子に座って、このカレンダーを裸眼で見続けて下さい。近視が自然治癒します。
１４．視力が、０．３°から、０．４°の人は、約３Ｍから６Ｍ位離れた机、椅子に座って、このカレンダーを裸眼で見続けて下さい。近視が自然治癒します。
１５．視力が、０．４°から、０．５°の人は、約４Ｍから７Ｍ位離れた机、椅子に座って、このカレンダーを裸眼で見続けて下さい。近視が自然治癒します。
１６．視力が、０５°から、０．６°の人は、約５Ｍから８Ｍ位離れた机、椅子に座って、このカレンダーを裸眼で見続けて下さい。近視が自然治癒します。
１７．視力が、０．６°から、０．７°の人は、約６Ｍから９Ｍ位離れた机、椅子に座って、このカレンダーを裸眼で見続けて下さい。近視が自然治癒します。
１８．視力が０．７°から、０．８°の人は、約７Ｍから１０Ｍ位離れた机、椅子に座って、このカレンダーを裸眼で見続けて下さい。近視が自然治癒します。
１９．視力が０．８°から、０．９°の人は、約８Ｍから、１１Ｍ位離れた机、椅子に座って、このカレンダーを裸眼で見続けて下さい。近視が自然治癒します。事をして、２０．視力が０．８°から１．０位に迄自然回複してゆく説明書付カレンダー。２１．「眼視力矯正用カレンダーＩＩの使用説明書」
２２．視力の弱い人が裸眼で、本発明される、「眼視力矯正用カレンダーＩＩ」に描かれている数字の縦横等を凡そ、１．３ｃｍにする他、縦７ｍｍ横１ｃｍ位にして造り、文字等では、縦を４ｍｍ、横を７ｍｍ位にして造られる、之の「カレンダーＩＩ」の数字や文字がかすれたり、ぼやけたりして、なかなかに、それ等が見えない人々があっても、之の「カレンダーＩＩ」の数字や文字を２Ｍから４Ｍ位に迄離れた位置から、日々、毎日、見続けていると、（乱視を含む）近視は自然治癒します事をして、視力が０．８°から１．０°位迄自然回複してゆく、説明書付きカレンダーとなります。
【図１】
2020189479.tif 000003
【図２】
2020189479.tif 000004